(57)【要約】【課題】携帯型電子装置に関し、表示ユニットの破損を有効に防止し、かつ、ケーシングの厚さも薄くすることを目的とする。【解決手段】ケーシング１に開設され、透明保護プレート２により閉塞される窓開口３から目視可能な表示ユニット４の背面がほぼ全面に渡って剛性の高い補剛体５により支承されるように構成する。【選択図】　図２
2004104584.tif 000002
【特許請求の範囲】
【請求項１】
ケーシングに開設され、透明保護プレートにより閉塞される窓開口から目視可能な表示ユニットの背面がほぼ全面に渡って剛性の高い補剛体により支承されている携帯型電子装置。
【請求項２】
前記補剛体が周縁に立ち上げフランジを備えてトレイ状に形成される請求項１記載の携帯型電子装置。
【請求項３】
前記補剛体がケーシングのほぼ全長に渡って配置されてケーシングを補強する請求項１または２記載の携帯型電子装置。
【発明の詳細な説明】
【０００１】
【発明の属する技術分野】
本発明は、携帯型電子装置に関するものである。
【０００２】
【従来の技術】
例えば携帯電話等の表示ユニットを備えた携帯型電子装置においては、ケーシング、あるいは表示ユニットを覆う透明保護プレートに負荷が加えられた場合でも表示ユニットへの応力伝達を切断し、表示ユニットの破損を防止する必要がある。
【０００３】
そして、従来の携帯型電子装置は、このようの要求を満足するために、ケーシング全体の剛性を高めたり、あるいは透明保護プレートが変形して表示ユニットを押下し、表示ユニットに曲げ応力を発生させることのないように、表示ユニットと透明保護プレートの間に比較的大きな隙間を設定することが行われていた。
【０００４】
しかし、上述したいずれの方法によっても、ケーシングの容積、とりわけ厚み方向の寸法が大きくなり、小型化の妨げとなるという問題がある。
【０００５】
また、特許文献１に記載のように、側壁部のみに金属製の補強壁を設けることによって大型化等の問題を回避したものも提案されているが、この場合には、表示ユニット配置部に対する補強はなされないために、表示ユニットへの応力伝達を切断する作用は期待できない。
【０００６】
【特許文献１】
特開２００１−６９２１３号公報
【０００７】
【発明が解決しようとする課題】
本発明は、以上の欠点を解消すべくなされたものであって、表示ユニットの破損を有効に防止でき、かつ、ケーシングの厚さも薄くして携帯性を高めた携帯型電子装置の提供を目的とする。
【０００８】
【課題を解決するための手段】
携帯型電子装置のケーシング１内には剛性の高い補剛体５が配置され、表示ユニット４は、背面がほぼ全面に渡って補剛体５により支承されて所定位置保持される。表示ユニット４をケーシング１外から目視可能なように、ケーシング１には窓開口３が開設され、窓開口３は透明保護プレート２により閉塞される。
【０００９】
この状態で、ケーシング１に外力が加えられ、ケーシング１が変形しても、補剛体５は容易に変形しないために、表示ユニット４への応力伝達も発生しない。このため、ケーシング１全体に補強部、あるいは補剛部を配置する場合に比してケーシング１の小型化を図ることができる。
【００１０】
また、透明保護プレート２への集中荷重が負荷されて透明保護プレート２が変形し、表示ユニット４表面を押し付けても、表示ユニット４全体が補剛体５により支承されているために、表示ユニット４には圧縮応力が負荷されるのみで、曲げ応力が発生しない。一般に表示ユニット４の表面には、ガラス４ａが配置され、かつ、ガラス４ａは曲げ応力に対する強度は低いものの、圧縮応力に対する強度は高いために、透明保護プレート２の変形によるガラス４ａへの応力発生によっては、表示ユニット４の破壊は発生しない。
【００１１】
この結果、透明保護プレート２と表示ユニット４との間に、透明保護プレート２の変形時にも衝接しない余裕を持たせた間隔を設定する必要がないために、厚さ方向寸法が小さくなる。
【００１２】
【発明の実施の形態】
図１、２に、携帯電話として構成された本発明の実施の形態を示す。この実施の形態において、携帯電話は、１本の棒形状に形成され、フロントケース６とリアケース７とを接合したケーシング１内に保持される表示ユニット４を有する。フロントケース６とリアケース７とは合成樹脂材により形成され、フロントケース６にはテンキー等の操作スイッチ８と、レシーバ９、およびマイクロフォン１０が配置される。
【００１３】
また、上記リアケース７の内壁面には剛性を高めるために複数のリブ７ａがハニカム状に突設され、該リブ７ａ上にコネクタ、半導体素子等の回路部品１１ａ、および表示ユニット４を実装するためのプリント基板１１が固定される。リブ７ａは、リアケース７に不用意な撓みが発生しない程度の剛性を付与することができれば高さ、大きさは適宜決定可能であり、形状も、円形、多角形等適宜変更できる。
【００１４】
上記表示ユニット４は、液晶層４ｂの表裏面にガラス４ａと導光板４ｃとを配置した液晶表示パネルであり、プリント基板１１上に固定される補剛体５により導光板４ｃの裏面が全面に渡って支承された状態で保持される。補剛体５は、マグネシウム合金により形成され、曲げ方向の剛性を向上させるために、周縁に立ち上げフランジ５ａを立設してトレイ形状に形成される。携帯電話の厚み方向寸法を可及的に薄くし、かつ、補剛体５の剛性も高めるために、補剛体５の底壁部の板厚は薄く、さらに、立ち上げフランジ５ａの高さは、表示ユニット４の高さと同等に設定される。また、補剛体５の立ち上げフランジ５ａは、表示ユニット４とプリント基板１１上の回路網とを接続するためのフラットケーブル１２を挿通するための配線用開口５ｂが開設される。
【００１５】
一方、フロントケース６には上記表示ユニット４を目視するための窓開口３が開設され、この窓開口３は、透明な合成樹脂材により形成される透明保護プレート２により閉塞される。表示ユニット４表層のガラス４ａと上記透明保護プレート２との間には、透明保護プレート２が直接ガラス４ａに接触しない程度の微少な隙間が形成される。なお、図２において１３はフロントケース６の窓開口３の周縁に固定されるガスケットを示すもので、フロントケース６固定状態において表示ユニット４のガラス４ａ周縁を圧接し、窓開口３内への塵埃の侵入を防止する。
【００１６】
したがってこの実施の形態において、ケーシング１が外力により変形しても補剛体５の剛性が高いために表示ユニット４に応力が発生することがないために、表示ユニット４が破壊されることはない。また、透明保護プレート２が変形して表示ユニット４のガラス４ａを押圧しても、表示ユニット４の裏面全面が平面により支えられており、表示ユニット４には破断強度の低い曲げ応力が発生することなく、比較的破断強度の高い圧縮応力しか発生しない。このため、表示ユニット４と透明保護プレート２との間に透明保護プレート２変形を見越した間隙を設定する必要がないために、全体の厚さ寸法を小さくすることができる。
【００１７】
また、補剛体５は、破壊強度も高く、かつ、軽量なマグネシウム合金により形成されているために、補剛体５が携帯電話全体の補強部材、あるいは補剛部材として機能するために、全体の強度向上、あるいは剛性の向上を図ることができる。
【００１８】
この場合、図３に示すように、補剛体５をケーシング１のほぼ全長に渡って延長することによりケーシング１全体の補強をすることができる。
【００１９】
さらに、補剛体５の剛性が十分高い場合には、図２（ｂ）に示すように、リアケース７をリブ７ａを設けることなく平板状に形成することにより、より薄型化を図ることができる。
【００２０】
図４、５に本発明の第２の実施の形態を示す。なお、本実施の形態の説明において、上述した実施の形態と実質的に同一の構成要素は、図中に同一符号を付して説明を省略する。この実施の形態において、携帯電話は、固定側と可動側のケーシング１Ａ、１Ｂを相互折り畳み可能に連結した折り畳み型の携帯電話であり、固定側のケーシング１Ａには、テンキー等の操作スイッチ８と、マイクロフォン１０が配置される。
【００２１】
一方、可動側ケーシング１Ｂのリアケース７にはリブ７ａが形成され、該リブ７ａ上にプリント基板１１が固定される。プリント基板１１上には、マグネシウム合金により形成される補剛体５が固定され、該補剛体５に裏面全面が支承されて表示ユニット４が固定される。
【００２２】
なお、折り畳み携帯電話においては、可動側ケーシング１Ｂと固定側ケーシング１Ａとのヒンジ部の強度を向上するために、例えば、図６に示すように、ケーシング１内にマグネシウム合金等により形成されるシャーシ１４が配置される。このようにケーシング１内にシャーシ１４が配置される場合には、補剛体５による補強は必要ないために、補剛体５を合成樹脂材等により形成することができる。
【００２３】
図７にケーシング１の表裏に表示ユニット４を備える場合の変形を示す。この変形例において、可動側ケーシング１内に主表示ユニット４と副表示ユニット４’が背向位置関係で配置される。主表示ユニット４は、折り畳み姿勢において固定側ケーシング１Ａに対峙するフロントケース６から目視可能であって液晶表示ユニットにより形成され、副表示ユニット４’は、その背面、すなわち、リアケース７側に開放され、ＥＬ（Ｅｅｌｅｃｔｒｏ　Ｌｕｍｉｎｅｓｃｅｎｃｅ）表示ユニットに形成される。
【００２４】
通常の通信時における情報を表示するために、着信表示等の補助的な情報を表示する副表示ユニット４’に比して大型な主表示ユニット４はプリント基板１１上に固定されたマグネシウム合金による補剛体５上に支承され、曲げ応力の発生が防止される。また、副表示ユニット４’は、主表示ユニット４に対して平面視において完全に重合する位置においてプリント基板１１上に固定される。副表示ユニット４’を主表示ユニット４に対して完全に重合する位置に配置することにより、プリント基板１１の副表示ユニット４’搭載エリアは、裏面に固定される補剛体５により剛性が高められて変形能が小さくなり、結果、副表示ユニット４’は、裏面が全面に渡って剛体により支承された状態となって曲げ応力の発生が防止される。
【００２５】
なお、この場合、図７（ｂ）に示すように、ケーシング１内にマグネシウム合金製のシャーシ１４が配置される場合には、補剛体５を合成樹脂製とし、該シャーシ１４上に副表示ユニット４’を固定することも可能である。
【００２６】
【発明の効果】
以上の説明から明らかなように、本発明によれば、表示ユニットの破損を有効に防止でき、かつ、ケーシングの厚さも薄くして携帯性を高めることができる。
【図面の簡単な説明】
【図１】棒形携帯電話を示す図で、（ａ）は正面図、（ｂ）は側面図である。
【図２】本発明を示す図で、（ａ）は図１（ａ）の２Ａ−２Ａ線断面図、（ｂ）は（ａ）の変形例を示す図である。
【図３】図１の変形例示す図で、（ａ）は正面図、（ｂ）は側面図である。
【図４】折り畳み型の携帯電話を示す斜視図である。
【図５】本発明の第２の実施の形態を示すで、図４の分解斜視図である。
【図６】図５の変形例を示す断面図である。
【図７】図５の他の変形例を示す図で、（ａ）はシャーシのない場合、（ｂ）はシャーシがある場合を示す断面図である。
【符号の説明】
１　　　　ケーシング
２　　　　透明保護プレート
３　　　　窓開口
４　　　　表示ユニット
５　　　　補剛体
５ａ　　　立ち上げフランジ
【図１】
2004104584.tif 000003
【図２】
2004104584.tif 000004
【図３】
2004104584.tif 000005
【図４】
2004104584.tif 000006
【図５】
2004104584.tif 000007
【図６】
2004104584.tif 000008
【図７】
2004104584.tif 000009